(57)【要約】【課題】２次元エリアセンサを備えたカメラモジュールにおいて、広角レンズを用いることなく、広角レンズを用いた場合と同様に比較的に広範囲の２次元画像の取得を可能とするとともに、カメラモジュールを使用して構成された機器の薄型化を図ること。【解決手段】本発明のカメラモジュールＢ１は、互いに直角な第１方向ｘおよび第２方向に沿ってそれぞれ所定の配列ピッチでマトリクス状に配置された複数の受光領域が形成された受光面２１を有する２次元エリアセンサ２、および原稿Ｄｃ側から進行してきた光を受光面２１に結像させるレンズ３を備えるカメラユニットＣ１と、第１方向ｘおよび上記第２方向のいずれにも直角な第３方向ｚにおけるカメラユニットＣ１との距離が、第１方向ｘにおいて原稿Ｄｃ側に向かうほど大であり、かつ上記第２方向において一定である反射面５１を有する反射部材５と、を備える。【選択図】  図２
2009267493.tif 000002
【特許請求の範囲】
【請求項１】
互いに直角な第１および第２方向に沿ってそれぞれ所定の配列ピッチでマトリクス状に配置された複数の受光領域が形成された受光面を有する２次元エリアセンサ、および物体側から進行してきた光を上記受光面に結像させるレンズを備えるカメラユニットと、
上記第１および第２方向のいずれにも直角な第３方向における上記カメラユニットとの距離が、上記第１方向において物体側に向かうほど大であり、かつ上記第２方向において一定である反射面を有する反射部材と、を備えることを特徴とする、カメラモジュール。
【請求項２】
上記反射面は、上記第１方向において膨らんだ凸曲面とされている、請求項１に記載のカメラモジュール。
【請求項３】
上記反射面は、上記カメラユニットから遠ざかるにつれて曲率が小さくなる形状とされている、請求項２に記載のカメラモジュール。
【請求項４】
上記複数の受光領域は、上記第１方向における配列ピッチが、上記第２方向における配列ピッチよりも小さくされている、請求項２または３に記載のカメラモジュール。
【請求項５】
上記反射面は、上記レンズの光軸を挟んで上記第１方向において対向する一対の物体側からそれぞれ進行してきた光を上記カメラユニットに向かわせるための第１および第２反射面を含んで構成されている、請求項２ないし４のいずれかに記載のカメラモジュール。
【請求項６】
請求項１ないし４のいずれかに記載のカメラモジュールと、このカメラモジュールの視野範囲に配置された透明板とを備え、
上記２次元エリアセンサにより、上記透明板を挟んで上記カメラモジュールとは反対側に位置する原稿の２次元画像を読み取るように構成されたことを特徴とする、画像読取装置。
【請求項７】
上記カメラモジュールは、対向する姿勢で配置された２つの上記カメラユニットと、これらカメラユニットに対応するように位置する２つの上記反射面を含んで構成されている、請求項６に記載の画像読取装置。
【請求項８】
２つの上記カメラユニットによる上記原稿の読取範囲は重複しており、
上記透明板には、２つの上記カメラユニットによる読取範囲の重複部分を検出するための検出マークが付されている、請求項７に記載の画像読取装置。
【請求項９】
上記カメラモジュールを内部に収容保持し、原稿側に開口端を有するケースを備え、
上記ケースは、上記開口端側を原稿に対して覆い被せる状態において当該原稿の読取範囲を外部と区切るように構成されており、
上記ケースには、外光を散乱させ、かつ透過させる散乱透過部が設けられている、請求項６に記載の画像読取装置。
【発明の詳細な説明】
【技術分野】
【０００１】
本発明は、２次元画像を撮像するためのカメラモジュールおよびこれを用いた画像読取装置に関する。
【背景技術】
【０００２】
原稿などに記載された内容を画像データとして読み取るための画像読取装置としては、たとえば２次元エリアセンサを備えたカメラモジュールを用いて構成されたものがある。このような画像読取装置は、たとえば原稿読取面に載置された原稿の画像を光学レンズ系によって２次元エリアセンサ上に結像させ、この２次元エリアセンサによって２次元画像データを取得するように構成されている（たとえば、特許文献１を参照）。
【０００３】
特許文献１においては、光学レンズ系として画角が大きい広角レンズあるいは超広角レンズを採用した画像読取装置が示されている。このような広角レンズ等を用いれば、比較的に大きいサイズの原稿を読み取る場合においても、レンズから原稿読取面までの距離を短くすることができ、画像読取装置の薄型化を図ることができる。
【０００４】
しかしながら、光学レンズ系として広角レンズを用いる場合には、画角が大きくなるのにともない画角端付近の像歪みが大きくなる傾向にある。これに対し、像歪みを抑制するためにレンズの枚数を増やすとともにレンズの形状に工夫を凝らすといった試みもなされているが、この場合、レンズ構成が複雑になり、光学レンズ系を含むカメラモジュールの製造コストの高騰化を招くといった不都合が生じてしまう。
【０００５】
【特許文献１】特開２００７−２３５９０２号公報
【発明の開示】
【発明が解決しようとする課題】
【０００６】
本発明は、上記した事情のもとで考え出されたものであって、２次元エリアセンサを備えたカメラモジュールにおいて、広角レンズを用いることなく、広角レンズを用いた場合と同様に比較的に広範囲の２次元画像の取得を可能とするとともに、カメラモジュールを使用して構成された機器の薄型化を図ることをその課題とする。
【課題を解決するための手段】
【０００７】
本発明の第１の側面によって提供されるカメラモジュールは、互いに直角な第１および第２方向に沿ってそれぞれ所定の配列ピッチでマトリクス状に配置された複数の受光領域が形成された受光面を有する２次元エリアセンサ、および物体側から進行してきた光を上記受光面に結像させるレンズを備えるカメラユニットと、上記第１および第２方向のいずれにも直角な第３方向における上記カメラユニットとの距離が、上記第１方向において物体側に向かうほど大であり、かつ上記第２方向において一定である反射面を有する反射部材と、を備えることを特徴としている。
【０００８】
このような構成によれば、物体側から進行してきた光を反射部材の反射面によって略直角に折り曲げてカメラユニットに導くことができる。このため、たとえば光学レンズ系として広角レンズよりも画角が小さい標準レンズを使用する場合において、物体から反射部材までの距離を短くしても、反射部材から２次元エリアセンサまでの距離を大きくすることにより、物体から２次元エリアセンサまでの光路長を長く確保することが可能となる。したがって、反射部材を有する構成によれば、広角レンズを装備しなくても、広角レンズを用いた場合と同様に広範囲の撮像を可能としつつ、物体から反射部材までの距離を短くすることにより、カメラモジュールを使用して構成された機器の薄型化を図ることができる。
【０００９】
本発明の好ましい実施の形態においては、上記反射面は、上記第１方向において膨らんだ凸曲面とされている。このような構成によれば、反射面を介して２次元エリアセンサによって撮像される範囲について、第１方向に対応する一方向の広角化を図ることができる。このことは、本発明に係るカメラモジュールを使用して構成された機器の薄型化を図るうえで好適である。
【００１０】
本発明の好ましい実施の形態においては、上記反射面は、上記カメラユニットから遠ざかるにつれて曲率が小さくなる形状とされている。このような構成によれば、撮像画像について、広角化された方向における画角端寄りの部分の歪みを大幅に抑制することができる。
【００１１】
本発明の好ましい実施の形態においては、上記複数の受光領域は、上記第１方向における配列ピッチが、上記第２方向における配列ピッチよりも小さくされている。このような構成によれば、広角化された方向の解像度の劣化を抑制することができる。
【００１２】
本発明の好ましい実施の形態においては、上記反射面は、上記レンズの光軸を挟んで上記第１方向において対向する一対の物体側からそれぞれ進行してきた光を上記カメラユニットに向かわせるための第１および第２反射面を含んで構成されている。
【００１３】
本発明の第２の側面によって提供される画像読取装置は、本発明の第１の側面によって提供されるカメラモジュールと、このカメラモジュールの視野範囲に配置された透明板とを備え、上記２次元エリアセンサにより、上記透明板を挟んで上記カメラモジュールとは反対側に位置する原稿の２次元画像を読み取るように構成されたことを特徴としている。
【００１４】
このような構成によれば、反射部材を備えるカメラモジュールの作用により、広角レンズを装備しなくも、画像読取装置を薄型に構成することができる。
【００１５】
本発明の第２の側面における好ましい実施の形態においては、上記カメラモジュールは、対向する姿勢で配置された２つの上記カメラユニットと、これらカメラユニットに対応するように位置する２つの上記反射面を含んで構成されている。
【００１６】
本発明の第２の側面における好ましい実施の形態においては、２つの上記カメラユニットによる上記原稿の読取範囲は重複しており、上記透明板には、２つの上記カメラユニットによる読取範囲の重複部分を検出するための検出マークが付されている。
【００１７】
本発明の第２の側面における好ましい実施の形態においては、上記カメラモジュールを内部に収容保持し、原稿側に開口端を有するケースを備え、上記ケースは、上記開口端側を原稿に対して覆い被せる状態において当該原稿の読取範囲を外部と区切るように構成されており、上記ケースには、外光を散乱させ、かつ透過させる散乱透過部が設けられている。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態につき、図面を参照して具体的に説明する。
【００２０】
図１および図２は、本発明に係るカメラモジュールを用いた画像読取装置の第１実施形態を示している。同図に示された画像読取装置Ａ１は、カメラモジュールＢ１と、ケース４と、透明板６とを備えて構成されている。画像読取装置Ａ１は、読取対象である原稿Ｄｃの記載内容を画像データとして読み取るためのものである。
【００２１】
図２および図３に示すように、カメラモジュールＢ１は、基板１、２次元エリアセンサ２、レンズ３、反射部材５、制御ＩＣ７、メモリチップ８を具備している。カメラモジュールＢ１は、画像読取装置Ａ１において、原稿Ｄｃによって反射された光を受光することにより、原稿Ｄｃの記載内容を画像データとして復元する機能を有している。カメラモジュールＢ１のうち、２次元エリアセンサ２、レンズ３、が本発明でいうカメラユニットＣ１を構成する要素である。
【００２２】
基板１は、たとえばプリント配線基板であり、図３に示すように長矩形状とされている。基板１は、銅などからなる金属配線層と樹脂層とが積層された構造を有する。基板１の中央部分には、２次元エリアセンサ２およびレンズ３が実装されている。基板１には、制御ＩＣ７およびメモリチップ８が実装されている。
【００２３】
２次元エリアセンサ２は、たとえばＣＣＤ型やＣＭＯＳ型と呼ばれるものであり、図３および図５に示すように、矩形状の受光面２１を有している。なお、図３においては、便宜上、レンズ３およびレンズホルダ３１を省略している。図５および図６に示すように、受光面２１には、複数の受光領域２２が形成されている。各受光領域２２は、受けた光の光量に応じた起電力を生じさせる、いわゆる光電変換機能を発揮する部分である。複数の受光領域２２は、互いに直角な方向ｘおよび方向ｙについて、それぞれ一定の配列ピッチｐ１，ｐ２でマトリクス状に配置されている。配列ピッチｐ１，ｐ２は、たとえば４．５μｍ程度、８μｍ程度である。本実施形態においては、受光面２１は、１，２８０個×９６０個の単位受光領域２２によって構成されており、約５．８ｍｍ×約７．７ｍｍのサイズとされている。これにより、２次元エリアセンサ２は、Ｌ版サイズの原稿Ｄｃを２６５ＤＰＩの解像度で読取可能である。また、各受光領域２２は、方向ｘおよび方向ｙに辺が延びる矩形をしており、方向ｘおよび方向ｙにおけるサイズｗ１，ｗ２は、配列ピッチｐ１，ｐ２よりも僅かに小さくされている。
【００２４】
レンズ３は、原稿Ｄｃ側から進行してきた光を２次元エリアセンサ２の受光面２１に結像させるためのものであり、図２に示すように、レンズホルダ３１に保持されている。本実施形態においては、レンズ３は、たとえば画角が５０°程度のいわゆる標準レンズとして構成されている。レンズホルダ３１は、基板１に固定されており、遮光性を有する黒色あるいはそれに近い暗色の合成樹脂製である。
【００２５】
ケース４は、基端部４１、およびフード４２を有している。基端部４１は、図２において図中下方に開口端を有する箱状とされており、たとえば遮光性を有する黒色あるいはそれに近い暗色の合成樹脂製である。この基端部４１の側壁部分には基板１が搭載されており、これにより、２次元エリアセンサ２およびレンズ３は、基板１を介して基端部４１に収容保持されている。
【００２６】
フード４２は、原稿Ｄｃの読取範囲を覆って外部と区切るためのものであり、図２において図中下方の原稿Ｄｃ側に長矩形状の開口端４２ａを有する筒状とされている。本実施形態においては、フード４２は、外光を透過させるとともに散乱させることが可能な構成とされており、たとえば白色の半透明樹脂からなる。フード４２は、図中下方に向かうにつれて横断面が外方に広がる傾斜部を有しており、この傾斜部は、本発明でいう散乱透過部４２１を構成する部分である。この散乱透過部４２１に外光が到達すると、当該外光は半透明樹脂を透過することによって、散乱光としてフード４２内側の原稿Ｄｃに向けて照射される。フード４２の材質としては、たとえばアクリル系、エポキシ系、あるいはポリカーボネート系の樹脂が挙げられる。
【００２７】
反射部材５は、図２に示すように、ケース４の基端部４１に取付けられている。反射部材５は、たとえばアルミ製であり、その表面部分は反射率が高い鏡面からなる反射面５１とされている。反射部材５はカメラユニットＣ１の正面に位置しており、反射面５１は凸状の非球面とされている。より具体的には、図４に示すように、反射面５１は、方向ｘおよび方向ｙのいずれにも直角な方向ｚにおけるカメラユニットＣ１との距離が、方向ｘにおいては原稿Ｄｃ側に向かうほど大であるとともに、方向ｙにおいては一定である。すなわち、反射面５１は、方向ｘにおいてカメラユニットＣ１側に膨らんだ凸曲面とされている。そして、この凸曲面からなる反射面５１は、カメラユニットＣ１から遠ざかるにつれて曲率が小さくなるように構成されている。このような構成により、反射部材５は、原稿Ｄｃから進行してきた光を反射面５１によって略直角に折り曲げて、カメラユニットＣ１に向かわせることができる。
【００２８】
透明板６は、たとえば透明樹脂製であり、フード４２に取り付けられている。本実施形態では、図２に示すように、透明板６は、フード４２の開口端４２ａから反射部材５側に少し入り込んだ位置に設けられている。この透明板６は、反射部材５およびレンズ３を保護する役割を有するとともに、たとえば原稿Ｄｃのうねりや反りが大きい場合には、原稿Ｄｃをほぼ平らな状態に押さえる役割を担う。なお、透明板６の下面には、反射防止膜を形成してもよい。この場合、原稿Ｄｃからレンズ３に向かう光の透明板６表面での反射による光量ロスを抑制することができる。
【００２９】
制御ＩＣ７は、演算処理回路が作り込まれた半導体チップであり、２次元エリアセンサ２の駆動制御、メモリチップ８へのデータ転送、および画像読取装置Ａ１外とのデータ送受を行う。メモリチップ８は、たとえばフラッシュメモリであり、制御ＩＣ７の駆動制御によって得られた画像データを記憶しておくためのものである。
【００３０】
次に、画像読取装置Ａ１の作用について説明する。
【００３１】
本実施形態によれば、上述したように、原稿Ｄｃ側から進行してきた光を反射部材５の反射面５１によって略直角に折り曲げてカメラユニットＣ１に向かわせることができる。このため、レンズ３が画角の小さい標準レンズであっても、原稿Ｄｃから反射部材５までの距離を短くしつつ、反射部材５から２次元エリアセンサ２までの距離を大きくとることにより、原稿Ｄｃから２次元エリアセンサ２までの光路長を長く確保することが可能となる。したがって、反射部材５を有する構成によれば、広角レンズを装備しなくても、広角レンズを用いた場合と同様に広範囲の撮像を可能としつつ、カメラモジュールＢ１を使用して構成された画像読取装置Ａ１の薄型化を図ることができる。
【００３２】
本実施形態によれば、反射面５１は、方向ｘにおいて膨らんだ凸曲面とされている。このため、レンズ３自体の画角が小さくても、反射面５１を介して２次元エリアセンサ２によって撮像される範囲については、方向ｘに対応する垂直画角の広角化を図ることができる。かかる構成は、画像読取装置Ａ１の薄型化を図るうえで好適である。また、このような一方向の広角化が図られた構成は、写真や書類などの長矩形状の原稿Ｄｃを読み取る場合において、原稿Ｄｃ全体の記載内容を適切に読み取るうえで好適である。
【００３３】
反射面５１は、カメラユニットＣ１から遠ざかるにつれて曲率が小さくなるように構成されている。これにより、原稿Ｄｃの読取画像においては、広角化方向の画角端寄りの部分の歪みを大幅に抑制することができる。このことは、原稿Ｄｃの記載内容を正確に読み取るうえで有利である。また、このような構成によれば、方向ｘに対応する垂直画角のさらなる広角化が図られることにもなるので、画像読取装置Ａ１のより一層の薄型化を実現することが可能である。
【００３４】
本実施形態では、２次元エリアセンサ２の複数の受光領域２２については、広角化された方向に対応する方向ｘの配列ピッチｐ１が広角化されていない方向に対応する方向ｙの配列ピッチｐ２よりも小さくされている。これにより、広角化された方向に対応する方向ｘの画素数を増やすことができ、原稿Ｄｃの読取画像について、広角化された方向の解像度の低下を抑制することができる。
【００３５】
本実施形態においては、ケース４の適所に散乱透過部４２１が設けられている。これにより、ケース４の開口端４２ａ側を原稿Ｄｃに覆い被せて原稿Ｄｃの読取範囲を外部と区切った状態において、部屋の照明光あるいは太陽光などの外光を、散乱透過部４２１を介してフード４２の内側に取り入れ、散乱光として原稿Ｄｃに向けて比較的に均一に照射することができる。したがって、画像読取装置Ａ１を用いれば、従来のフラットベッド型の画像読取装置とは異なり、原稿Ｄｃが書物やアルバムといった段差などを有するものである場合においても、ケース４（フード４２）を原稿Ｄｃに覆い被せるだけで原稿Ｄｃの記載内容を適正に読取ることができる。また、画像読取装置Ａ１によれば、比較的に重量や厚さが嵩む原稿Ｄｃについても、フラットベッド型の画像読取装置のように読取部分を裏返してセットする必要がないため、画像読取のための作業そのものを簡単に行うことができる。このようなことから、画像読取装置Ａ１は、ハンディタイプスキャナとして利用するのに適している。また、散乱透過部４２１は、フード４２の傾斜部に設けられているため、外光を効率よくフード４２の内側に取り入れることができる。
【００３６】
図７〜図１０は、本発明の他の実施形態を示している。なお、これらの図において、上記実施形態と同一または類似の要素には、上記実施形態と同一の符号を付しており、適宜説明を省略する。
【００３７】
図７は、本発明に係るカメラモジュールを用いた画像読取装置の第２実施形態を示している。本実施形態の画像読取装置Ａ２は、２つのカメラユニットＣ１を備えており、これらカメラユニットＣ１は、ケース４の基端部４１の両側壁部分に基板１を介して搭載されている。これにより、２つのカメラユニットＣ１は、対向する姿勢で配置されている。本実施形態では、反射部材５は、平面からなる２つの反射面５２を備えており、これら反射面５２は、２つのカメラユニットＣ１に対応するように位置している。図７に表れているように、２つのカメラユニットＣ１による原稿Ｄｃの読取範囲は、中央において重複している。透明板６には、方向Ｚにおける中央に検出マーク６１が付されている。
【００３８】
本実施形態では、２つのカメラユニットＣ１によって２つの画像データが読み取られる。これら画像データについては、それぞれ検出マーク６１が写り込んでいるので、画像データにおける重複部分を検出することができる。そして、たとえば制御ＩＣ７によって２つの画像データの合成処理を実行することにより、広範囲の１つの画像データを取得することができる。このように、本実施形態の画像読取装置Ａ２によれば、反射部材５として平面の反射面５２を有することにより反射面５２を介して撮像される範囲の広角化がなされない構成であっても、原稿Ｄｃの広範囲について正確な２次元画像を取得することができる。
【００３９】
図８は、本発明に係るカメラモジュールを用いて構成されたカメラ機器の一実施形態を示している。本実施形態のカメラ機器Ａ３は、箱状のケース４内にカメラモジュールＢ１が収容保持された構成とされており、フード４２および透明板６を具備していない点において、上記実施形態と異なっている。なお、図８は、カメラ機器Ａ３の横断面図を示している。
【００４０】
反射部材５の反射面５１は、水平方向ｘ’および図８の紙面に垂直な垂直方向ｙ’のいずれにも直角な方向ｚ’におけるカメラユニットＣ１との距離が、水平方向ｘ’においては撮像される物体側に向かうほど大であるとともに、垂直方向ｙ’においては一定である。すなわち、反射面５１は、水平方向ｘ’においてカメラユニットＣ１側に膨らんだ凸曲面とされている。そして、この凸曲面からなる反射面５１は、カメラユニットＣ１から遠ざかるにつれて曲率が小さくなるように構成されている。これにより、反射面５１を介して２次元エリアセンサ２によって撮像される範囲については、水平方向ｘ’に対応する水平画角の広角化が図られている。また、撮像画像については水平画角の画角端寄りの歪みが大幅に抑制される。
【００４１】
本実施形態では、２次元エリアセンサ２の複数の受光領域２２は、図９に示すように、広角化された水平画角に対応する水平方向ｘ’の配列ピッチｐ１’が広角化されていない垂直画角に対応する垂直方向ｙ’の配列ピッチｐ２’よりも小さくされている。これにより、広角化された方向に対応する水平方向ｘ’の画素数を増やすことができ、撮像される画像について、広角化された方向の解像度の低下を抑制することができる。
【００４２】
本実施形態によれば、カメラ機器Ａ３の奥行き寸法（図８における図中上下方向の寸法）の薄型化を図るとともに、水平画角の広角化を図ることができる。このような構成のカメラ機器Ａ３は、たとえば車両の後方や側方の視界を２次元画像として取得するように構成された車載カメラ、あるいはビルや工事現場に設置する監視カメラとして利用するのに適している。
【００４３】
図１０は、本発明に係るカメラモジュールを用いて構成されたカメラ機器の他の実施形態を示している。本実施形態のカメラ機器Ａ４は、箱状のケース４内にカメラモジュールＢ４が収容保持された構成とされている。カメラモジュールＢ４は、ケース４の奥壁部分に搭載されたカメラユニットＣ４と、２つの反射面５３，５４を有する反射部材５とを備えている。反射面５３，５４は、レンズ３の光軸を挟んで水平方向ｘ”において対向する両側からそれぞれ進行してきた光をカメラユニットＣ４に向かわせるように配置されている。これにより、カメラモジュールＢ４においては、レンズ３の光軸を挟んで両側に分離した２つの領域を同時に撮像可能とされている。
【００４４】
反射面５３，５４は、水平方向ｘ”および図１０の紙面に垂直な垂直方向ｙ”のいずれにも直角な方向ｚ”におけるカメラユニットＣ４との距離が、水平方向ｘ”においては撮像される物体側に向かうほど大であるとともに、垂直方向ｙ”においては一定である。すなわち、反射面５３，５４は、いずれも水平方向ｘ”においてカメラユニットＣ４側に膨らんだ凸曲面とされている。そして、この凸曲面からなる反射面５３，５４は、それぞれ、カメラユニットＣ４から遠ざかるにつれて曲率が小さくなるように構成されている。これにより、反射面５３，５４を介して２次元エリアセンサ２によって撮像される２つの領域については、それぞれ、水平方向ｘ”に対応する水平画角の広角化が図られている。また、撮像画像については水平画角の画角端寄りの歪みが大幅に抑制される。
【００４５】
このような構成のカメラ機器Ａ４は、たとえば、車両前方の運転者の死角領域を２次元画像として取得するための車載カメラとして利用するのに適している。たとえば、カメラ機器４を搭載した車両が見通しの悪い交差点に進入する際には、車両前方の死角領域を実質的になくすことができる。
【００４６】
本発明に係るカメラモジュールおよび画像読取装置は、上述した実施形態に限定されるものではない。本発明に係るカメラモジュールおよび画像読取装置の各部の具体的な構成は、種々に設計変更自在である。
【００４７】
本発明に係る画像読取装置としては、上記実施形態のように原稿に覆い被せて用いる構成のものに限定されるものではなく、いわゆるフラットベッド型の構成としてもよい。また、本発明に係るカメラモジュールおよび画像読取装置は、必要に応じて、光源を具備する構成としてもよい。
【図面の簡単な説明】
【００４８】
【図１】本発明に係るカメラモジュールおよび画像読取装置の第１実施形態を示す斜視図である。
【図２】図１のＩＩ−ＩＩ線に沿う要部断面図である。
【図３】図２のＩＩＩ−ＩＩＩ線に沿う要部矢視図である。
【図４】図２に示すカメラモジュールにおける反射面およびカメラユニット、ならびに原稿読取範囲の位置関係を模式的に示す斜視図である。
【図５】図２に示すカメラモジュールに用いられる２次元エリアセンサを示す平面図である。
【図６】図２に示すカメラモジュールに用いられる２次元エリアセンサの要部拡大平面図である。
【図７】本発明に係るカメラモジュールおよび画像読取装置の第２実施形態を示す縦断面図である。
【図８】本発明に係るカメラモジュールを用いて構成されたカメラ機器の一実施形態を示す横断面図である。
【図９】図８に示すカメラモジュールに用いられる２次元エリアセンサの要部拡大図である。
【図１０】本発明に係るカメラモジュールを用いて構成されたカメラ機器の他の実施形態を示す横断面図である。
【符号の説明】
【００４９】
Ａ１，Ａ２    画像読取装置
Ａ３，Ａ４    カメラ機器
Ｂ１，Ｂ４    カメラモジュール
Ｃ１，Ｃ４    カメラユニット
Ｄｃ    原稿
１      基板
２      ２次元エリアセンサ
３      レンズ
４      ケース
５      反射部材
６      透明板
７      制御ＩＣ
８      メモリチップ
２１    受光面
２２    受光領域
ｐ１    配列ピッチ（第１方向における）
ｐ２    配列ピッチ（第２方向における）
４１    基端部
４２    フード
４２ａ    開口端
４２１    散乱透過部
５１，５２    反射面
５３    反射面（第１反射面）
５４    反射面（第２反射面）
ｘ      方向（第１方向）
ｘ’，ｘ”    水平方向（第１方向）
ｙ      方向（第２方向）
ｙ’，ｙ”    垂直方向（第２方向）
ｚ，ｚ’，ｚ”    方向（第３方向）
【図１】
2009267493.tif 000003
【図２】
2009267493.tif 000004
【図３】
2009267493.tif 000005
【図４】
2009267493.tif 000006
【図５】
2009267493.tif 000007
【図６】
2009267493.tif 000008
【図７】
2009267493.tif 000009
【図８】
2009267493.tif 000010
【図９】
2009267493.tif 000011
【図１０】
2009267493.tif 000012